(57)【要約】 【課題】  低価格化、小型化が可能であり、しかも異なる種類の飛行機玩具またはキャラクタを任意にセットして遊ぶことができるプロペラ玩具の提供。【解決手段】  振動の伝達により回転するプロペラ（５）と、装着部（１１）とを備えた玩具本体（２）と、前記振動を発生する振動発生手段と、前記装着部に対して着脱可能であり、かつ前記振動を前記玩具本体に対して伝達する振動伝達部材とを内蔵したスタンド（３）とを具備するプロペラ玩具（１）。【選択図】  図１
2007330481.tif 000002
【特許請求の範囲】
【請求項１】
振動の伝達により回転するプロペラと、装着部とを備えた玩具本体と、
前記振動を発生する振動発生手段と、前記装着部に対して着脱可能であり、かつ前記振動を前記玩具本体に対して伝達する振動伝達部材と、
前記振動発生手段および前記振動伝達部材とを内蔵したスタンドと、
を備えることを特徴とするプロペラ玩具。
【請求項２】
前記振動発生手段は、その出力軸に偏心錘を固定した電動式モータを含み、前記振動伝達部材は、前記振動発生手段を収容する収容部と、前記装着部に対して固定される固定部とを一体形成したことを特徴とする請求項１に記載のプロペラ玩具。
【請求項３】
前記振動伝達部材は、前記収容部の一端側に前記固定部を一体形成し、前記収容部の他端側に取付部を一体形成し、
前記スタンドは、前記固定部を外部に露出させる孔部を形成し、前記取付部を取り付けることを特徴とする請求項２に記載のプロペラ玩具。
【請求項４】
振動の伝達により回転するプロペラと、装着部とを備えた玩具本体と、  
前記振動を発生するように、その出力軸に偏心錘を固定した電動式モータを含む振動発生手段と、
前記振動発生手段を収容する収容部と、前記装着部に対して固定される固定部とを一体形成するとともに、前記収容部の一端側に前記固定部を一体形成し、前記収容部の他端側に取付部を一体形成することで、前記振動を前記玩具本体に対して伝達する振動伝達部材と、を備え、
前記固定部を外部に露出させる孔部を形成し、前記取付部を取り付けるスタンドに前記振動伝達部材を内蔵したことを特徴とするプロペラ玩具。
【発明の詳細な説明】
【技術分野】
【０００１】
本発明は、プロペラ玩具に係り、特に振動の伝達により回転するプロペラを備えたプロペラ玩具に関するものである。
【背景技術】
【０００２】
飛行機を模した種々のタイプの玩具が提案されている。これらの玩具の内で、実際に飛行させて楽しむＲＣ（ラジコン、ラジオコントロール）飛行機と、内蔵の直流小型モータに直結されたプロペラを回転させることでリアル感を演出し、主に机上に置いて楽しむように構成されたデスプレイタイプの電動模型飛行機が知られている。この種のデスプレイタイプの電動模型飛行機は、個人が組み立てるプラモデルとしても販売されている。
【０００３】
一方、振動が伝達されることで本体先端に回転自在に設けられたプロペラを回転して遊ぶように構成された「プロペラ廻し玩具」も提案されている。この提案になる玩具によれば、玩具本体の中央部に振動片を設け、この振動片を回転軸支されるカム板の角部の当接作用により振動させるために、カム板に設けられたハンドル操作を手動で行うように構成されている。（特許文献１）
【特許文献１】実開昭６１−９４０９５号公報
【発明の開示】
【発明が解決しようとする課題】
【０００４】
しかしながら、上記の直流小型モータ内蔵式のディスプレイタイプの電動模型飛行機によれば直流モータを駆動するために、乾電池とその電池ボックスおよびスイッチならびに配線が必要となるのでその分高価とならざるを得ない。また、上記の内蔵部品点数が多くなる結果、小型化も困難となる。さらに、通電のオンオフ用のスイッチを通常は本体腹部などの目につきにくい部位に設けることでスケール感をかもし出すようにしている関係上から、スイッチ操作を行いにくくなる場合もある。
【０００５】
また、異なる機種の飛行機をデスプレイタイプの電動模型飛行機として鑑賞するためには、その分の飛行機が必要となり出費を強いられることとなる。
【０００６】
一方、上記提案の手動式の「プロペラ廻し玩具」によれば低価格化、小型化は可能となる。しかしながら、プロペラを回転させるための操作は、例えば右手で本体を把持し、左手でカム板を回転することから、上記のようなデスプレイタイプの電動模型飛行機として遊ぶことはできない。
【０００７】
したがって、本発明は上記の問題点に鑑みて成されたものであり、低価格化、小型化が可能であり、しかも異なる種類の飛行機玩具またはキャラクタ等を任意にセットして遊ぶことができるプロペラ玩具の提供を目的としている。
【課題を解決するための手段】
【０００８】
上述した課題を解決し、目的を達成するために、本発明のプロペラ玩具によれば、振動の伝達により回転するプロペラと、装着部とを備えた玩具本体と、前記振動を発生する振動発生手段と、前記装着部に対して着脱可能であり、かつ前記振動を前記玩具本体に対して伝達する振動伝達部材と、を内蔵したスタンドを具備することを特徴としている。
【０００９】
また、前記振動発生手段は、その出力軸に偏心錘を固定した電動式モータを含み、また前記振動伝達部材は、前記振動発生手段を収容する収容部と、前記装着部に対して固定される固定部とを一体形成したことを特徴としている。
【００１０】
また、前記振動伝達部材は、前記収容部の一端側に前記固定部を一体形成し、前記収容部の他端側に取付部を一体形成し、前記スタンドは、前記固定部を外部に露出させる孔部を形成し、前記取付部を取り付けることを特徴としている。
【００１１】
そして、本発明のプロペラ玩具によれば、振動の伝達により回転するプロペラと、装着部とを備えた玩具本体と、前記振動を発生するように、その出力軸に偏心錘を固定した電動式モータを含む振動発生手段と、前記振動発生手段を収容する収容部と、前記装着部に対して固定される固定部とを一体形成するとともに、前記収容部の一端側に前記固定部を一体形成し、前記収容部の他端側に取付部を一体形成することで、前記振動を前記玩具本体に対して伝達する振動伝達部材とを備え、前記固定部を外部に露出させる孔部を形成し、前記取付部を取り付けるスタンドにおいて前記振動伝達部材を内蔵したことを特徴としている。
【発明の効果】
【００１２】
本発明によれば、振動の伝達により回転するプロペラと装着部とを備えた玩具本体を、スタンドに内蔵された振動伝達部材に固定し、振動発生手段を起動させることでスタンドに内蔵された振動伝達部材からの振動がプロペラに伝達されてプロペラを回転させることができるとともに、玩具本体を任意に着脱可能にして異なる種類の玩具でも遊ぶことができるプロペラ玩具を提供することができる。
【発明を実施するための最良の形態】
【００１３】
以下に、本発明の好適な一実施形態について添付の各図面を参照して述べる。
【００１４】
ここで、本発明は様々な修正と変更が可能であり、その内の特定の事例が図面に図示されており、以下に詳細に記述されることになる。しかしながら、本発明はこれらに限定されず請求の範囲に規定された範囲で種々の構成が可能であることは言うまでもなく、後述する構成以外にも全てのプロペラ玩具に適用可能である。
【００１５】
先ず、図１は本発明の一実施形態であるプロペラ玩具１の動作状態を示した正面図である。本図において、このプロペラ玩具１は、図示のように机上Ｄ上に置かれるスタンド３と模型飛行機２とから構成されている。この模型飛行機２は、例えば１００分の１のスケールモデルの全プラスチック製の人力飛行機であり振動の伝達により回転するプロペラ５を胴体部４の先端に設けている。このプロペラ５にはその回転中心に貫通孔が穿設されており、この貫通孔に対して頭部を一体形成した頭部付き軸体６を挿通した後に、胴体部４の先端に頭部付き軸体６を固定することで、回転可能に設けられている。
【００１６】
一方、胴体部４の重心部位には主翼７が、後方には水平尾翼８と垂直尾翼９が図示のように固定される一方で、主翼７の下方にはペダル操作および操縦を行うパイロットを収容するコックピット１０が実機を模して吊るされた状態で固定されている。
【００１７】
以上の部品において、胴体部４にプロペラ５と垂直尾翼９およびコックピット１０を予め組み付け完成した状態にしておき、主翼７と水平尾翼８を嵌合により図示のように固定することで、部品の収容箱の体積を小さくできるようにしても良い。このように部品単位を極力小型化することでカプセル入りの商品として無人無通電の自動販売機での販売を行うことも可能になる。
【００１８】
また、コックピット１０の下方腹部分の略重心点となる部位には、スタンド３への装着部となる図中破線で示した有底穴部１１が形成されている。
【００１９】
次に、スタンド３は図示のようにナンバーワンを意識したデザインを備えた本体カバー２０を備えており、単４乾電池２３を簡単に交換可能にできるとともに、机上Ｄに安定して置くために本体カバー２０の底面には３つの防振体２２が設けられている。
【００２０】
スタンド３の本体カバー２０内には有底穴部１１に対する挿入後に、軽い締まり嵌め状態で固定される固定部を備えた振動伝達部材が内蔵されており、この振動伝達部材をモータ駆動により振動させることで、コックピット１０を介して振動をプロペラ５に伝達することでプロペラを回転できるように構成されている。
【００２１】
ここで、振動発生手段としては後述する直流小型モータの出力軸に偏心錘を固定した構成とすることで、オンオフ操作が簡単にできかつ小型に構成できるので最良であるが、これの構成に限定されず、ぜんまい、フライホイール（はずみ車）、ゴム動力などを用いた手動式であっても良い。さらに、大きさは、図示の単４乾電池２３との対比から分かるようにかなり小型に構成されるが、これに限定されず例えば７２分の１のスケールの双発機の各プロペラを全て回転できるような振動を発生するような大きな構成も可能であることは言うまでもない。
【００２２】
続いて、図２は図１のスタンド３の立体分解図である。また、図３は図２の本体カバー２０を取り付ける前の状態を示した正面図である。
【００２３】
両図において、既に説明済みの構成または部品については、同様の符号を附して説明を割愛すると、本体カバー２０は所定樹脂材料を用いて射出樹脂成形されるとともに、その底部は安定化のために幅広に形成されている。この本体カバー２０には図中破線で図示した合計で４箇所の穴部２０ｋおよびネジ穴を有した２つのスタッド部２０ａが形成されるとともに、上端において半孔部２０ｂが形成されている。
【００２４】
この本体カバー２０と勝手違いに形成される本体カバー２１は、本体カバー２０との接合面が平坦に形成されるとともに、上記の穴部２０ｋに挿入される凸部２１ｋを接合面から突出形成している。また、スタッド部２０ａに螺合される小ネジ５０を図示のように通すための穴部２１ｓが上下の２箇所に形成されている。
【００２５】
さらに、本体カバー２０の半孔部２０ｂに対向した位置に半孔部２１ｂが形成されており、本体カバー２０、２１を接合固定した状態で、振動伝達部材４０の固定部である軸部４０ｄが本体カバー２０、２１の外部に露出できるようにしている。
【００２６】
そして、本体カバー２０、２１には、図示のように下方に凸に形成された乾電池の正極部品３０とスプリング３５を固定した負極部品３４およびスライドスイッチ部品３１を不動状態で固定するための溝部が図示のように一体成形されている。
【００２７】
また、小型直流モータ２５には配線２８、２９が接続されており、これらの配線２８、２９を正極部品３０と負極部品３４およびスライドスイッチ部品３１に対して配線３３を予めはんだ付け接続した状態にしておき、図３に図示の状態にセットできるようにして組み付け工程の簡略化を実現可能にしている。スライドスイッチ部品３１はスイッチ動作後、初期状態に戻るオルタネイト式でありそのノブ３１ａに孔部３２ｂが入るようにしたスイッチ３２を設けることで狭い空間にスライドスイッチ部品３１を設けるようにしているが、安価な構成ではスライドスイッチ部品３１のノブ３１ａを直接操作するようにしても良い。また、操作中のみ通電するモーメンタリ式のスイッチも採用可能である。
【００２８】
小型直流モータ２５は、例えば携帯電話機の振動発生用のものが使用でき、その出力軸に偏心錘２６を固定している。この小型直流モータ２５は図示のような形状に樹脂成形される振動伝達部材４０の箱形状の収容部４０ａ内にセットされる。このためにモータ２５を収容部４０ａに押し込むと開口縁部に形成された爪部４０ｋ、４０ｋ（図３に図示）が一時的に広げられ、その後に、元の位置に復元することで収容部４０ａ中における不動状態になるようにして固定される。
【００２９】
また、振動伝達部材４０の収容部４０ａの上端からは固定部となる軸部４０ｄを一体形成した湾曲部４０ｃが図示のように一体形成されるとともに、収容部４０ａの下端側において上記の本体カバー２１から延設された軸支部２１ａに対して挿入される貫通孔部を有した取付部４０ｂが一体形成されている。
【００３０】
なお、収容部４０aの下端側に軸支部（不図示）を一体形成し、この軸支部に対して挿入される有底穴部を有した取付部（不図示）を本体カバー２１に形成してもよい。
【００３１】
以上のように構成される各部品を図３に図示の組み付け状態にすることで、振動伝達部材４０の軸部４０ｄは本体カバー２０、２１の外部に露出され、取付部４０ｂが軸支部２１ａに取り付けられ、本体カバー２０を固定して完成する。
【００３２】
ここで、取付部４０ｂが軸支部２１ａに取り付けられることで、取付部４０ｂは軸支部２１ａに対して揺動可能状態で支持される構造となるので、プロペラ玩具１のディスプレイ台としてのスタンド（本体カバー２０、２１）への振動の伝達を軽減することができる。よって、効率的に玩具本体１に対して振動を伝達可能となる。
【００３３】
以上のようにして完成されるので、スイッチ３２のノブ３２ａを移動してスイッチオン状態にして図１で述べたようにして遊ぶことができるようになる。特に、玩具本体を任意に簡単に着脱できるので一つの種類の玩具が飽きた後に他の玩具でも遊ぶことができるようになる。また、乾電池は露出しているので幼児でも簡単に交換できる。
【００３４】
次に、図４は他の実施形態を図示した正面図である。本図において、既に説明済みの構成または部品については同様の符号を附して説明を割愛すると、上記の模型飛行機に代えてプロペラ５を設けた帽子を被ったキャラクタ１０２の腹部に孔部１１が形成されている。また、主翼に１対のプロペラ５を設けた双発機１０３のランディングギアの傍に孔部１１が穿設されている。そして、機首にプロペラ５を設けた複葉機１０４の重心近くに孔部１１が穿設されている。
【００３５】
さらに、孔部１１の近くには各機首の発生音を指示するＩＣタグＴまたは接点が貼設されており、スタンド３の軸部４０ｄの近くに配置された受信機Ｖまたは電気接点で各ＩＣタグまたは接点を検出し、スタンド３または各飛行機に内蔵の音声発生ＩＣ（不図示）により各音声を発生してスタンド３の側面に設けられたブザー１５１で外部に音を出せるようにしている。
【００３６】
また、スタンド３は図示のように壁掛け式となっておりフック孔１５３を上端に固定したベース１５２上に図示のように固定されている。さらに、上記の乾電池に代えてボタン電池１２３を内蔵しており、蓋体１５０をさらに設けている。
【００３７】
以上の構成によれば、机上スペースが無い場合でも使用でき、かつまたプロペラの回転に加えて各機種またはキャラクタにふさわしいプロペラ作動音も同時に楽しむことができるのでより楽しく鑑賞できるようになる。また、プロペラ玩具としてジャイロコプタ―、ヘリコプターなどの飛行機に加えて、ボートまたは潜水艦のスクリューを回転させる玩具も可能であることも言うまでもない。さらに、プラモデルキットとして提供することもできる。
【図面の簡単な説明】
【００３８】
【図１】本発明の一実施形態であるプロペラ玩具１の動作状態を示した正面図である。
【図２】プロペラ玩具１のスタンド３の立体分解図である。
【図３】図２の本体カバー２０を取り付ける前の状態を示した正面図である。
【図４】他の実施形態を図示した正面図である。
【符号の説明】
【００３９】
１  プロペラ玩具
２  模型飛行機
３  スタンド
４  胴体
５  プロペラ
１１  有底穴部（装着部）
２０、２１  本体カバー
２３  乾電池
２５  小型直流モータ
２８、２９、３３  配線
３１  スライドスイッチ
３０  正電極
３４  負電極
４０  振動伝達部材
４０ｄ  軸部（固定部）
Ｄ  机上
Ｗ  壁
【図１】
2007330481.tif 000003
【図２】
2007330481.tif 000004
【図３】
2007330481.tif 000005
【図４】
2007330481.tif 000006